(57)【要約】      （修正有）【課題】ユーザが網を選択して発呼する場合、ＩＰ網、ＮＧＮ網にて発呼可能な相手かどうかを全ユーザが把握することは非常に困難なことである。【解決手段】ＳＩＰサーバ、Ｔ．３８ゲートウェイ、ホームゲートウェイを登録するサーバ／ゲートウェイ登録手段を有する。発呼先電話番号や発呼する網を含む発呼先情報を登録する発呼先情報登録手段１０８を有する。発呼先情報の指定情報と、それに応じた前記サーバ／ゲートウェイ登録手段で登録したそれぞれのＳＩＰサーバ、Ｔ．３８ゲートウェイ、ホームゲートウェイを優先順位をつけて登録できる選択網設定登録手段１０９を有する。選択網設定登録手段で登録した優先順位に従って発呼先情報登録手段で登録された発呼先情報と、選択網設定登録手段で登録した指定情報を比較し合致した網を判別する発呼網判別手段１１１を有する。発呼網判別手段で決定した網へ発呼する発呼手段１１３を有する。【選択図】図１
2015233254.tif 000002
【特許請求の範囲】
【請求項１】
１つもしくは複数のＳＩＰサーバ（２０１）、ホームゲートウェイ（２０２）、Ｔ．３８ゲートウェイ（２０３）が接続されているＩＰ網（２０４）に接続されている通信端末装置（１００）で下記の手段を具備することを特徴とする。前記ＳＩＰサーバ、Ｔ．３８ゲートウェイ、ホームゲートウェイを登録するサーバ／ゲートウェイ登録手段を有する。発呼先電話番号や発呼する網（ＳＩＰサーバ経由、ホームゲートウェイ経由、Ｔ．３８ゲートウェイ経由）を含む発呼先情報を登録する発呼先情報登録手段（１０８）を有する。発呼先情報の指定情報（電話番号のプレフィックス）と、それに応じた前記サーバ／ゲートウェイ登録手段で登録したそれぞれのＳＩＰサーバ、Ｔ．３８ゲートウェイ、ホームゲートウェイを優先順位をつけて登録できる選択網設定登録手段（１０９）を有する。前記選択網設定登録手段で登録した優先順位に従って発呼先情報登録手段で登録された発呼先情報と、選択網設定登録手段で登録した指定情報を比較し合致した網を判別する発呼網判別手段を有する。（１１１）前記発呼網判別手段で決定した網へ発呼する発呼手段（１１３）を有する。
【請求項２】
請求項１に記載の通信端末装置は下記の手段を具備することを特徴とする。前記発呼網判別手段（１１３）で比較した結果、発呼先情報登録手段で登録された発呼先情報と、選択網設定登録手段で登録した指定情報を比較し合致するものがない場合に、発呼する網を登録するディフォルトサーバ／ゲートウェイ登録手段（Ｓ５０７）を有する。
【発明の詳細な説明】
【技術分野】
【０００１】
本発明は、ＩＰ網および公衆電話網に接続される通信端末及びその制御方法に関するものである。
【背景技術】
【０００２】
近年、ＩＰ網を利用してＳＩＰ（Ｓｅｓｓｉｏｎ  Ｉｎｉｔｉａｔｉｏｎ  Ｐｒｏｔｏｃｏｌ）とＴ．３８に準拠したＩＰファクシミリ通信機能を備えた通信端末装置が普及しつつある。また、次世代ネットワーク（ＮＧＮ：Ｎｅｘｔ  Ｇｅｎｅｒａｔｉｏｎ  Ｎｅｔｗｏｒｋ）と呼ばれる電話、映像通信サービスの提供を目的としたネットワーク網（以降ＮＧＮ網）の提供が開始されている。そこでＩＰ網だけでなく、ＮＧＮ網に対応した通信端末装置が普及しつつある。
【０００３】
ユーザが網を選択して発呼する場合、ＳＩＰサーバ経由のＩＰ網にて発呼可能な相手か否か、ホームゲートウェイ経由のＮＧＮ網にて発呼可能な相手か否か、Ｔ．３８ゲートウェイ経由の公衆電話網にて発呼可能な相手か否かをユーザが把握することが必須である。
【０００４】
しかしながら、現実的には、ＩＰ網、ＮＧＮ網、公衆電話網にて発呼可能な相手かどうかをすべてのユーザが把握することは非常に困難なことである。
【０００５】
またＳＩＰサーバ、ホームゲートウェイ、Ｔ．３８ゲートウェイは複数存在する場合があり、なおさらユーザが把握するのは困難である。
【０００６】
そこで、特許文献１には、ユーザがＩＰ網または公衆電話網の選択を意識することなく適切な網から発呼でき、通信コストの増大並びに通信エラーを回避できるようにした技術が開示されている。
【先行技術文献】
【特許文献】
【０００７】
【特許文献１】特開２００４−１１２５１５号公報
【発明の概要】
【発明が解決しようとする課題】
【０００８】
上述したように、ＩＰ網、ＮＧＮ網及び公衆電話網に接続される従来のファクシミリ装置では、ユーザがＩＰ網、ＮＧＮ網または公衆電話網のいずれか一方を選択して発呼する。しかし、ユーザがＩＰ網から発呼できる相手なのかどうかや、ＮＧＮ網から発呼した方が通信コストが安い相手なのかどうかを全てのユーザが把握することは困難であった。このため、ＩＰ網から発呼可能であるのに、公衆電話網から発呼してしまったり、あるいはＩＰ網から発呼不可能であるのに、ＩＰ網から発呼してしまうことが起こりうる。発呼時に不適切な網が選択されることを避けられず、前者の場合には無駄な通信コストがかかってしまい、後者の場合には通信エラーが発生し、通信できない事態に陥るという問題点があった。
【０００９】
本発明は、上記問題点を解消し、ユーザがＩＰ網、ＮＧＮ網または公衆電話網の選択を意識することなく適切な網から発呼でき、通信コストの増大と通信エラーを回避できる通信端末装置及びその制御方法を提供することを目的とする。
【課題を解決するための手段】
【００１０】
本発明は、１つもしくは複数のＳＩＰサーバ（２０１）、ホームゲートウェイ（２０２）、Ｔ．３８ゲートウェイ（２０３）が接続されているＩＰ網（２０４）に接続されている通信端末装置（１００）で下記の手段を具備することを特徴とする。前記ＳＩＰサーバ、Ｔ．３８ゲートウェイ、ホームゲートウェイを登録するサーバ／ゲートウェイ登録手段を有する。発呼先電話番号や発呼する網（ＳＩＰサーバ経由、ホームゲートウェイ経由、Ｔ．３８ゲートウェイ経由）を含む発呼先情報を登録する発呼先情報登録手段（１０８）を有する。発呼先情報の指定情報（電話番号のプレフィックスなど）と、それに応じた前記サーバ／ゲートウェイ登録手段で登録したそれぞれのＳＩＰサーバ、Ｔ．３８ゲートウェイ、ホームゲートウェイを優先順位をつけて登録できる選択網設定登録手段（１０９）を有する。前記選択網設定登録手段で登録した優先順位に従って発呼先情報登録手段で登録された発呼先情報と、選択網設定登録手段で登録した指定情報を比較し合致した網を判別する発呼網判別手段を有する。（１１１）前記発呼網判別手段で決定した網へ発呼する発呼手段（１１３）を有する。
【発明の効果】
【００１１】
本発明によれば、発呼先情報に応じてＩＰ網に対して発呼するか、ＮＧＮ網に対して発呼するか、公衆電話網に対して発呼するかを予め記憶しておく。そして発呼時に入力される発呼先情報を解析し、前記解析結果を用いて上記記憶を参照して発呼をどの網に対して行うかを自動判別する。そうすることで、全てのユーザが、相手先による適切な網の選択を意識することなく、ＩＰ網、ＮＧＮ網または公衆電話網のうちの適切な網を選択して発呼できるようになる。また、適切でない網から発呼することにより通信コストが増えたり、通信エラーを発生させることを回避することができる。
【図面の簡単な説明】
【００１２】
【図１】本発明に係る通信端末装置のシステム構成を示すブロック図。
【図２】本発明に係わる通信端末装置が接続されるネットワークの構成図。
【図３】本発明に係わる通信端末装置のサーバ／ゲートウェイ設定例と発呼先情報設定例を示す図。
【図４】選択網設定情報記憶部に対する選択網設定情報の設定例を示す図。
【図５】システム制御部における発呼網判別制御動作を示すフローチャート。
【発明を実施するための形態】
【００１３】
以下、本発明を実施するための最良の形態について図面を用いて説明する。図１は、本発明に係る通信端末装置のシステム構成を示すブロック図である。
【００１４】
通信端末装置１００は、以下の１０１〜１１７で構成される。中央処理装置（ＣＰＵ）１０１は装置全体の制御処理を行なう。操作／表示部１０２は、タッチパネル等で構成されていて、使用者がこの装置を動作させるための各種操作（発呼操作等）をおこなったり、各種情報を表示する。読取部１０３は、送信原稿やコピー原稿を読み取る。
【００１５】
記録部１０４は、受信画像データや読取った画像データを記録紙に記録して出力する。画像処理部１０５は、画像データに対する符号化、復号化、拡大、縮小等の処理を行う。画像蓄積部１０６は、受信画像データあるいは読取った画像データを格納する。ＲＡＭ１０７は、制御プログラムが使用するシステムデータや各種情報を記憶する。発呼先情報記憶部１０８は、ユーザが表示／操作部１０２のキー操作により登録した発呼先情報を記憶する。
【００１６】
選択網設定記憶部１０９は、ファクシミリの発呼する網（ＳＩＰサーバ経由、Ｔ．３８ゲートウェイ経由、ホームゲートウェイ経由）情報などを記憶する。発呼先情報解析部１１０は、発呼時に、操作／表示部１２から入力される相手通信端末装置の発呼先情報を解析する。発呼先判別解析部１１１は、発呼先情報解析部１１０での発呼先情報の解析結果から、前記解析された発呼先情報を用いて選択網設定情報記憶部１０９に記憶される選択網設定情報を参照してファクシミリの発呼する網を判別する。Ｔ．３８伝送制御部１１２はＩＴＵ−Ｔ勧告Ｔ．３８手順に従ってリアルタイム型通信プロトコルを制御する。
【００１７】
ＳＩＰ呼制御部１１３はＩＥＴＦのＲＦＣ３２６１（ＳＩＰ）とＲＦＣ２３２７（ＳＤＰ）に規定された手順を使用してリアルタイム型インターネットファクスＴ３８における呼の確立、維持、終了の制御を行なう。ＩＰ網制御部１１６は、ＩＰ網２０４に接続され、インターネットを開始して種々のデータを送受する通信制御を行う。Ｇ３ＦＡＸ伝送制御部１１４は、ＩＴＵ−Ｔ勧告Ｔ．３０手順に従ってファクシミリプロトコルを制御する。Ｇ３ＦＡＸ呼制御部１１５は、Ｇ３ＦＡＸ伝送制御部１１４の伝送制御の下でアナログ公衆回線網２０６にて呼の確立、網接続の制御を行なう。
【００１８】
上述した装置各部の間で相互にデータのやり取りするシステムバス１１７を備えて構成される。通信端末装置１００は、ＩＰ網制御部１１６によりＩＰ網２０４に接続され、前記ＩＰ網２０４を介して相手通信端末装置と通信を行なうことができる。またＧ３ＦＡＸ呼制御部１１５により公衆電話網２０６接続され、前記公衆網２０６を介して相手通信端末装置と通信を行なうことができる。
【００１９】
図２は、本発明にかかわる通信端末装置１００が接続されるネットワークの構成図である。図２において、通信端末装置１００−１，１００−２，１００−３は、それぞれ、図１に示した通信端末装置１００を用いたものである。ＳＩＰサーバ２０１−１、２０１−２は、ＩＰ網２０４に接続される。ホームゲートウェイ２０１−１、２０２−２、２０２−３はＮＧＮ網２０５とＩＰ網の間に接続される。ゲートウェイ２０３−１、２０３−２、２０３−３は公衆電話網２０５とＩＰ網に接続される。
【００２０】
ここで、通信端末装置１００−１は公衆電話網２０６とＩＰ網２０４に接続され、通信端末装置１００−２はＩＰ網２０４のみに接続される。また、通信端末装置１００−３は、ＮＧＮ網２０５のみに接続される。また、通信端末装置（Ｇ３ＦＡＸ）２０７は公衆電話網２０５のみに接続される。この接続環境下において、例えば、通信端末装置１００−１は、ＩＰ網２０４を介して通信端末装置１００−２と通信したり、公衆電話網２０６を介して通信端末装置（Ｇ３ＦＡＸ）２０７と通信することができる。また、通信端末装置１００−１は、ＩＰ網２０４と公衆電話網２０６間のホームゲートウェイ２０１サービスを利用することで、ＩＰ網２０４から公衆電話網２０６を介して通信端末装置１００−３と通信することもできる。
【００２１】
また、通信端末装置１００−１は、ＩＰ網２０４と公衆電話網２０６間のゲートウェイ２０３サービスを利用することで、ＩＰ網２０４から公衆電話網２０６を介して通信端末装置（Ｇ３ＦＡＸ）２０７と通信することもできる。また、通信端末装置１００−１は、ＩＰ網２０４とＮＧＮ網２０５間のホームゲートウェイ２０２サービスを利用することで、ＩＰ網２０４からＮＧＮ網２０５を介して通信端末装置１００−３と通信することもできる。このようなネットワーク環境下で、例えば、通信端末装置１００−１がある相手通信端末装置と通信を開始しようとした場合、この相手通信端末装置がＩＰ網２０４から発呼可能な相手なのか、公衆電話網２０６から発呼した方が通信コストは安いか全てのユーザが知ることは困難である。
【００２２】
こうしたユーザの負担を緩和すべく、本発明に係わる通信端末装置１００では、発呼に際して、そのユーザが、表示／操作部１０２のキー操作により、相手通信端末装置の宛先番号（発呼先指定情報）を入力し、送信スタート指示操作（送信開始ボタン押下）を行なうのみで、その入力された宛先番号から装置側で適切な網を選択して発呼できるような制御機能を備えている。この制御機能は、通信端末装置１００の発呼先情報記憶部１０８と選択網設定記憶部１０９と発呼先判別解析部１１０に持たせることができる。発呼先指定情報記憶部１０８は、発呼時に、表示／操作部１０２から入力される相手通信端末装置の宛先名称や宛先番号や、発呼先などを記憶する。選択網設定記憶部１０９は、表示／操作部１０２から入力される発呼先（ホームゲートウェイ経由のＮＧＮ網２０５／ゲートウェイ経由の公衆電話網２０６／ＳＩＰサーバ経由のＩＰ網２０４）と電話番号の開始番号を記憶することができる。
【００２３】
発呼網判別部１１０は、発呼先情報記憶部１０８宛先情報を用いて選択網設定情報記憶部１０９に記憶される選択網設定情報を参照する。そして発呼をＩＰ網２０４に複数あるＳＩＰサーバ２０１−１、２に対して行うか、ホームゲートウェイ２０２−１、２経由のＮＧＮ網２０５に対して行うか、ゲートウェイ２０３−１、２、３経由の公衆電話網２０６に対して行うか自動的に判別する。
【００２４】
図３はホームゲートウェイ、ゲートウェイ、ＳＩＰサーバの設定登録画面である。
図３（ａ）は、ＳＩＰサーバの設定の登録が行われる画面であり、新規登録ボタン（３０３）から登録が行うことがで、ＳＩＰサーバ２０１−１、ＳＩＰサーバ２０１−２の設定がそれぞれ登録されている。
【００２５】
図３（ｂ）は、ホームゲートウェイの設定の登録が行われる画面であり、新規登録ボタン（３０６）から登録が行うことができ、ホームゲートウェイ２０２−１、ホームゲートウェイ２０２−２の設定がそれぞれ登録されている。
【００２６】
図３（ｃ）では、ゲートウェイの設定の登録が行われる画面であり、新規登録ボタン（３１１）から登録が行うことができ、Ｔ．３８ゲートウェイの２０３−１、Ｔ．３８ゲートウェイ２０３−２、Ｔ．３８ゲートウェイ２０３−３の設定がそれぞれ登録されている。
【００２７】
図３（ｄ）では、発呼先情報の設定の登録が行われる画面であり、名称（３１２）、発呼先電話番号（３１３）、発呼する網の設定（３１４）などがそれぞれ登録されている。
上述した各種の設定情報は、管理者などが予め発呼先情報記憶部１０８に記憶しておく。
【００２８】
また図４は、選択網設定情報記憶部１０９に記憶する選択網設定情報の設定例を示す図である。発呼先情報がＳＩＰサーバ１（２０１−１）経由のＩＰ網２０４に接続される端末であることを示す特定情報を含む場合は、前記発呼先情報に対応してＩＰ網２０４に発呼することを示す選択網設定情報が記憶されている。ここで、ＩＰ網２０４に接続される端末であることを示す特定情報とは、例えば、発呼先指定情報中の先頭の３桁を構成する“６２６”という情報である。発呼先情報がホームゲートウェイ１経由（２０２−１）経由のＮＧＮ網２０５に接続される端末であることを示す特定情報を含む場合は、前記発呼先情報に対応してＮＧＮ網２０５に発呼することを示す選択網設定情報が記憶されている。
【００２９】
ここで、ＮＧＮ網２０５に接続される端末であることを示す特定情報とは、例えば、発呼先指定情報中の先頭の３桁を構成する“０５０”という情報である。
【００３０】
発呼先情報がＴ．３８ゲートウェイ１経由（２０３−１）経由の公衆電話網２０６に接続される端末であることを示す特定情報を含む場合は、前記発呼先情報に対応して公衆電話網２０６に発呼することを示す選択網設定情報が記憶されている。
【００３１】
ここで、公衆電話網２０６に接続される端末であることを示す特定情報とは、例えば、発呼先指定情報中の先頭の３桁を構成する“０３＊”という情報である。（但し、＊は“０”以外の数字）上記の各種の選択網設定情報は、優先順位をつけて管理者などが予め選択網設定情報記憶部１０９に記憶しておく。各種の選択網設定情報の優先順位の上げ下げは４０１，４０２を用いておこなう。
【００３２】
次に、図５を用いて、発呼網判別制御の動作を示すフローチャートである。通信端末装置１００では、相手端末装置に発呼する操作として、ユーザは表示／操作部１０２のテンキーなど（短縮ダイヤルでもかまわない）を用いて相手通信端末装置の発呼先電話番号を入力する。（ここで、予め発呼先情報記憶部に登録されている発呼先情報を選択してもよい）（図３ｄ）。その後スタートボタン（送信開始ボタン）を押下する。ここで、送信開始指示があった場合（Ｓ５０１）、上記送信開始指示によって入力される発呼先情報を取得して発呼先情報解析部１１０にわたす（Ｓ５０２）。発呼先情報解析部１１０では、渡された発呼先電話番号と発呼する網の解析をする（ステップＳ５０３）。解析によって渡された発呼先電話番号が、ＳＩＰサーバ経由のＩＰ網２０４に対する発呼か、ホームゲートウェイ経由のＮＧＮ網２０５に対する発呼か、Ｔ．３８ゲートウェイ２０３経由の公衆電話網２０６に対する発呼か、自動発呼かなどの解析を行う。
【００３３】
次に、発呼網判別部１１１は、上記解析結果をもとに選択網設定情報記憶部１８５に記憶された選択網設定情報（図４参照）を参照する。そして優先順位に従って前記発呼先電話番号と、前記選択網設定情報で登録した指定情報（電話番号の開始番号）を比較し発呼する網を自動判別する（Ｓ５０４）。
【００３４】
ここで、発呼網判別部１１１は、発呼先情報がＳＩＰサーバ経由のＩＰ網２０４に接続される端末であることを示す特定情報を含む場合は、例えば図４の４０４に示すような選択網設定情報を参照して、発呼先情報に対応してＩＰ網２０４に発呼すると判別する。
【００３５】
また、発呼先情報がホームゲートウェイ経由のＮＧＮ網を示す指定情報を含む場合は、例えば、図４の４０５、４０６に示すような選択網設定情報に従い、前記発呼先情報に対応してＮＧＮ網２０５に対して発呼すると判別する。
【００３６】
また、発呼先情報がＴ．３８ゲートウェイ２０３経由の公衆電話網２０６を示す指定情報を含む場合は、例えば、図４の４０７、４０８示すような選択網設定情報に従い、前記発呼先情報に対応して公衆電話網２０６に対して発呼すると判別する。
【００３７】
発呼網判別部１１１の判別結果にしたがって、対応する網の網制御部に発呼を指示し、該発呼指示を受けた網制御部は該当する網へ発呼を行なう。実際にはＳ５０４で一致する条件がある場合は一致した該当の網へ発呼をおこなう（Ｓ５０６）。一致する条件がなかった場合は、ディフォルトサーバ／ゲートウェイ登録手段で登録した網へ発呼をおこなう（Ｓ５０７）。実際には、ＩＰ網２０４へ発呼すると判別された場合には、ＩＰ網制御部１１６に発呼開始を指示し、これにより、ＩＰ網制御部１１６はＳＩＰ呼制御部１１３を用いてＩＰ網２０４に対して発呼する。
【符号の説明】
【００３８】
１００，１００−１〜４  通信端末装置、１０１  中央処理装置（ＣＰＵ）、
１０２  操作／表示部、１０３  読取部、１０４  記録部、１０５  画像処理部、
１０６  画像蓄積部、１０７  ＲＡＭ、１０８  発呼先情報記憶部、
１０９  選択網設定情報記憶、１１０  発呼先情報解析部、１１１  発呼網判別部、
１１２  Ｔ．３８伝送制御部、１１３  ＳＩＰ呼制御部、
１１４  Ｇ３ＦＡＸ伝送制御部、１１５  Ｇ３ＦＡＸ呼制御部、１１６  ＩＰ網制御部、
１１７  システムバス、２０１  ＳＩＰサーバー、２０２  ホームゲートウェイ、
２０３  ゲートウェイ、２０４  ＩＰ（インターネット  プロトコル）網、
２０５  ＮＧＮ網、２０６  公衆電話網（公衆網）
【図１】
2015233254.tif 000003
【図３】
2015233254.tif 000004
【図２】
2015233254.tif 000005
【図４】
2015233254.tif 000006
【図５】
2015233254.tif 000007